(57)【特許請求の範囲】
【請求項１】
水上に設置された浮体構造物と護岸との間に架かるタラップの前記護岸への固定方法であって、
前記護岸に突設されたアンカーボルトであって、前記護岸に予め設置されている構造物の挿通孔に挿通して前記構造物を前記護岸に固定するための前記アンカーボルトを、第１ボルト挿通孔が穿設された継板に挿通し、第１固定部材により前記継板を前記護岸に固定する継板固定工程と、
前記継板に立設したボルトを、前記タラップを支持するための支持部材であって、第２ボルト挿通孔が穿設された前記支持部材に挿通し、第２固定部材により前記支持部材を前記継板に固定する支持部材固定工程と
を含む固定方法。
【請求項２】
さらに、
前記継板固定工程による前記継板の前記護岸への固定の前に、前記構造物の前記挿通孔の周囲の高さと略同一の高さの緩衝板を、前記継板の前記ボルトの下方となる位置に配設する配設工程を含む
請求項１に記載の固定方法。
【請求項３】
前記継板固定工程では、第１構造物および第２構造物の各々について、当該構造物を固定するための前記アンカーボルトを用いて、前記第１固定部材により前記継板を前記護岸に固定し、
前記支持部材固定工程では、前記タラップの前記護岸側の第１コーナー部および第２コーナー部をそれぞれ支持するための複数の支持部材を、前記第１構造物および前記第２構造物にそれぞれ対応した複数の前記継板に固定し、
前記配設工程では、前記複数の前記継板の一方から他方に亘るサイズの前記緩衝板を、前記複数の前記継板の前記ボルトの下方に配設する
請求項２に記載の固定方法。
【発明の詳細な説明】
【技術分野】
【０００１】
本発明は、固定方法に関する。より特定的には、浮体構造物と護岸とを接続するタラップの固定方法の技術に関する。
【背景技術】
【０００２】
近年、河川等の水上に浮体構造物を建設し、浮体構造物上で飲食物を提供したり、イベントを開催したりすることによる地域活性化の取り組みが各地で行われている。浮体構造物は、タラップにより護岸と接続され、人々はタラップを通じて護岸と浮体構造物との間を行き来することができる（例えば、特許文献１参照）。
【先行技術文献】
【特許文献】
【０００３】
【特許文献１】特開２０１４−１５０８号公報
【発明の概要】
【発明が解決しようとする課題】
【０００４】
このような浮体構造物は、例えば、夏の間だけのように期間限定で建設され、当該期間を過ぎると取り外されることが想定されている。このため、取り外された後に護岸を傷つけないようにタラップを設置する必要がある。
【０００５】
特許文献１に記載のようにタラップを護岸に固定せずに仮置きすれば、護岸を傷つけずに済むが、衝撃によりタラップがずれる等、人々が歩行する上での安全性の面で問題がある。
【０００６】
本発明は、上述の課題を解決するためになされたものであり、護岸を傷つけることなく、往来の安全性が確保されたタラップの護岸への固定方法を提供することを目的とする。
【課題を解決するための手段】
【０００８】
上記目的を達成するために、本発明のある局面に係る固定方法は、水上に設置された浮体構造物と護岸との間に架かるタラップの前記護岸への固定方法であって、前記護岸に突設されたアンカーボルトであって、前記護岸に予め設置されている構造物の挿通孔に挿通して前記構造物を前記護岸に固定するための前記アンカーボルトを、第１ボルト挿通孔が穿設された継板に挿通し、第１固定部材により前記継板を前記護岸に固定する継板固定工程と、前記継板に立設したボルトを、前記タラップを支持するための支持部材であって、第２ボルト挿通孔が穿設された前記支持部材に挿通し、第２固定部材により前記支持部材を前記継板に固定する支持部材固定工程とを含む。
【０００９】
この方法によると、タラップを支持するための支持部材が継板を介してアンカーボルトに取り付けられる。アンカーボルトは護岸に打ち付けられているため、タラップがずれることがなく、人々の往来の安全性を確保することができる。また、このアンカーボルトは、例えば、フェンスなどの構造物を護岸に固定するために予め護岸に設置されているものである。このため、タラップを護岸に設置するために、新たにアンカーボルトを護岸に打ち込むなどの必要がない。よって、浮体構造物およびタラップを取り外した後は、護岸を、浮体構造物およびタラップを設置する前の状態に戻すことができる。つまり、護岸を傷つけることなく、往来の安全性が確保されたタラップを護岸に固定することができる。
【００１０】
好ましくは、上述の固定方法は、さらに、前記継板固定工程による前記継板の前記護岸への固定の前に、前記構造物の前記挿通孔の周囲の高さと略同一の高さの緩衝板を、前記継板の前記ボルトの下方となる位置に配設する配設工程を含む。
【００１１】
この方法によると、継板と護岸との間に生じる隙間を緩衝板により塞ぐことができる。このため、継板の上に支持部材を取り付けた場合に、継板がタラップの重みにより沈み込むのを防止することができる。
【００１２】
さらに好ましくは、前記継板固定工程では、第１構造物および第２構造物の各々について、当該構造物を固定するための前記アンカーボルトを用いて、前記第１固定部材により前記継板を前記護岸に固定し、前記支持部材固定工程では、前記タラップの前記護岸側の第１コーナー部および第２コーナー部をそれぞれ支持するための複数の支持部材を、前記第１構造物および前記第２構造物にそれぞれ対応した複数の前記継板に固定し、前記配設工程では、前記複数の前記継板の一方から他方に亘るサイズの前記緩衝板を、前記複数の前記継板の前記ボルトの下方に配設する。
【００１３】
この構成によると、１枚の緩衝板上に複数の継板が載置される。このため、緩衝板の配設作業が容易になる。また、複数の継板により緩衝板が押さえ込まれる。このため、継板ごとに緩衝板を配設する場合に比べ、緩衝板が衝撃等によりずれるのを防止することができる。
【発明の効果】
【００１８】
本発明によると、護岸を傷つけることなく、往来の安全性が確保されたタラップの護岸への固定方法を提供することができる。
【図面の簡単な説明】
【００２０】
【図１】本発明の実施の形態に係るタラップおよび浮体構造物の設置例を示す図である。
【図２】タラップの護岸への固定方法の流れを示すフローチャートである。
【図３】タラップの護岸への取り付け部分を上方から見た模式図である。
【図４】タラップの護岸への取り付け部分を側方から見た模式図である。
【発明を実施するための形態】
【００２１】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２２】
図１は、本発明の実施の形態に係るタラップおよび浮体構造物の設置例を示す図である。
【００２３】
図１に示すように、浮体構造物２は、河川３などの水上に設置される平面状の構造物である。浮体構造物２は、例えば、浮体ブロックをつなぎ合わせたものを、河川３の河底に固定した杭などに係留することにより、河川３上に設置される。浮体構造物２は、飲食物の提供やイベントの開催などを行う各種商業施設として利用することができる。図１では図示を省略しているが、浮体構造物２は、安全性確保のために柵などで囲われる。
【００２４】
浮体構造物２と護岸４との間を人が往来するために、浮体構造物２と護岸４とはタラップ１により接続される。つまり、タラップ１の一方は護岸４に固定され、他方は浮体構造物２に固定される。
【００２５】
本実施の形態では、タラップ１の一方を護岸４に固定する際に、護岸４に予め設置されている構造物を利用する。つまり、護岸４に予め設置されたフェンス５を利用してタラップ１の一方を護岸４に固定する。フェンス５は、護岸４に突設されたアンカーボルトにより、護岸４に固定されている。そのアンカーボルトを利用して、タラップ１をフェンス５とともに護岸４に固定する。
【００２６】
より具体的に説明すると、タラップ１を支持するための支持部材が、護岸４側のタラップ１の底面の２つのコーナーに設けられている。また、図１に示すように、フェンス５は、途中に空間部が設けられており、左右に分割されている。このため、左側のフェンス５の端部を固定するためのアンカーボルトを利用して、タラップ１の一方の支持部材とフェンス５とを護岸に固定する。また、右側のフェンス５の端部を固定するためのアンカーボルトを利用して、タラップ１の他方の支持部材とフェンス５とを護岸に固定する。
【００２７】
次に、タラップ１の護岸４への固定方法についてより詳細に説明する。
図２は、タラップ１の護岸４への固定方法の流れを示すフローチャートである。図３は、タラップ１の護岸４への取り付け部分を上方から見た模式図である。図４は、タラップ１の護岸４への取り付け部分を側方から見た模式図である。なお、図３（ａ）〜図３（ｂ）において、上側を河川３側、下側を護岸４側としている。また、図４（ａ）〜図４（ｄ）において、右側を河川３側、左側を護岸４側としている。
【００２８】
図３（ａ）および図４（ａ）に示すように、金属製の緩衝板１１を護岸４上に配設する（Ｓ１）。緩衝板１１は、図３（ａ）に示すように、左側のフェンス５の端部から右側のフェンス５の端部に亘るサイズを有している。また、図４（ａ）に示すように、緩衝板１１の高さは、フェンス５の座板６の高さと同一または略同一である。なお、座板６は、フェンス５を護岸４上に立てるための底板であり、ボルト挿通孔６ａが穿設されている。護岸４に突設されたアンカーボルト１０にボルト挿通孔６ａが挿通され、アンカーボルト１０に座金７およびナット８を嵌めて締めることにより、座板６およびフェンス５が護岸４に固定されている。座板６は、フェンス５の一部であり、フェンス５の本体部分と一体形成されていてもよい。
【００２９】
図３（ｂ）、図４（ｂ）および図４（ｃ）に示すように、座板６と緩衝板１１上に金属製のＬ字形上の継板１２を固定する（Ｓ２）。つまり、図３（ｂ）および図４（ｂ）に示すように、継板１２には、ボルト挿通孔６ａと対応する位置にボルト挿通孔１２ａが穿設されている。図４（ｂ）に示すように、座板６を護岸４に固定するために用いられた座金７およびナット８のうち、継板１２と重ね合わせられる座板６の領域に位置する座金７およびナット８が取り外される。その上で、アンカーボルト１０にボルト挿通孔１２ａが挿通されることにより、座板６および緩衝板１１の上に、継板１２が重ね合わせられる。この状態で、図４（ｃ）に示すように、アンカーボルト１０に座金７およびナット８を再度嵌めて締めることにより、継板１２が座板６に固定される。これにより、継板１２が座板６ともども護岸４に固定される。
【００３０】
図３（ｃ）および図４（ｄ）に示すように、金属製の支持部材１３を継板１２に固定する（Ｓ３）。つまり、継板１２には、２か所にボルト１２ｂが立設している。また、支持部材１３には、ボルト１２ｂに対応する位置にボルト挿通孔１３ａが穿設されている。ボルト１２ｂが、ボルト挿通孔１３ａに挿通されることにより、継板１２上に支持部材１３が配置される。その状態で、ボルト１２ｂに座金７およびナット８を嵌めて締めることにより、支持部材１３が継板１２に固定される。
【００３１】
以上のように、支持部材１３が継板１２および座板６ともども護岸４に固定されることになる。このため、支持部材１３が支持するタラップ１も護岸４に固定されることになる。
【００３２】
以上説明したように、本実施の形態によると、タラップ１を支持するための支持部材１３が継板１２を介してアンカーボルト１０に取り付けられる。アンカーボルト１０は護岸４に打ち付けられているため、タラップ１が衝撃などにより左右にずれることがなく、人々の往来の安全性を確保することができる。また、このアンカーボルト１０は、例えば、フェンス５などの構造物を護岸４に固定するために予め護岸４に設置されているものである。このため、タラップ１を護岸４に設置するために、新たにアンカーボルト１０を護岸４に打ち込むなどの必要がない。よって、浮体構造物２およびタラップ１を取り外した後は、護岸４を、浮体構造物２およびタラップ１を設置する前の状態に戻すことができる。つまり、護岸４を傷つけることなく、往来の安全性が確保された状態のタラップ１を護岸４に固定することができる。
【００３３】
また、緩衝板１１の高さを座金７の高さと同一または略同一とし、継板１２のボルト１２ｂの下方となる位置に緩衝板１１を配設している。このため、継板１２と護岸４との間に生じる隙間を緩衝板１１により塞ぐことができる。このため、継板１２の上に支持部材１３を取り付けた場合に、継板１２がタラップ１の重みにより沈み込むのを防止することができる。
【００３４】
また、緩衝板１１のサイズを、左側のフェンス５の端部から右側のフェンス５の端部に亘るサイズとしている。つまり、緩衝板１１のサイズを、複数の継板１２の一方から他方に亘るサイズとしている。このため、１枚の緩衝板１１上に複数の継板１２が載置される。これにより、緩衝板１１の配設作業が容易になる。また、複数の継板１２により緩衝板１１が押さえ込まれる。このため、継板１２ごとに緩衝板１１を配設する場合に比べ、緩衝板１１が衝撃等によりずれるのを防止することができる。
【００３５】
なお、今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００３６】
たとえば、タラップの代わりに桟橋を同様の方法により護岸に固定してもよいし、浮体構造物の代わりに船舶と護岸とをタラップまたは桟橋により接続してもよい。
【００３７】
また、護岸にあらかじめ固定されている構造物はフェンスに限定されるものではなく、例えば、越波防止用の構造物などであってもよい。
【産業上の利用可能性】
【００３８】
本発明は、護岸と浮体構造物または船舶などとを接続するタラップや桟橋、また、タラップや桟橋の固定方法等に用いると有益である。
【符号の説明】
【００３９】
１      タラップ
２      浮体構造物
３      河川
４      護岸
５      フェンス
６      座板
６ａ    ボルト挿通孔
７      座金
８      ナット
１０    アンカーボルト
１１    緩衝板
１２    継板
１２ａ、１３ａ  ボルト挿通孔
１２ｂ  ボルト
１３    支持部材
【要約】
【課題】護岸を傷つけることなく、往来の安全性が確保されたタラップの護岸への固定方法を提供する。
【解決手段】水上に設置された浮体構造物と護岸との間に架かるタラップの護岸への固定方法であって、護岸に突設されたアンカーボルトであって、護岸に予め設置されている構造物の挿通孔に挿通して構造物を護岸に固定するためのアンカーボルトを、第１ボルト挿通孔が穿設された継板に挿通し、第１固定部材により継板を護岸に固定する継板固定工程と、継板に立設したボルトを、タラップを支持するための支持部材であって、第２ボルト挿通孔が穿設された支持部材に挿通し、第２固定部材により支持部材を継板に固定する支持部材固定工程とを含む。
【選択図】図４【図１】
0005933804.tif 000002
【図２】
0005933804.tif 000003
【図３】
0005933804.tif 000004
【図４】
0005933804.tif 000005